(57)【要約】【課題】単一の表示領域を用い、複数の観察者それぞれに認識させる情報を容易に制御することのできる情報表示装置および情報表示方法を提供すること。【解決手段】スクリーン２０上に情報を表示する情報表示装置２であって、スクリーン２０から投射される光が特定の偏光方向を有する直線偏光になるようにする偏光板１１と、偏光板１１を、偏光方向を変化させる方向に回転させる回転駆動部１３とを備える。【選択図】図５
2008064898.tif 000002
【特許請求の範囲】
【請求項１】
スクリーン上に情報を表示する情報表示装置であって、
前記スクリーンから投射される光が特定の偏光方向を有する直線偏光になるようにする第１偏光板と、
前記第１偏光板を、前記偏光方向を変化させる方向に回転させる回転駆動手段と
を備える情報表示装置。
【請求項２】
さらに、前記スクリーンに情報を投影するプロジェクタを備え、
前記第１偏光板は、前記スクリーンと前記プロジェクタとの間に設けられ、前記プロジェクタから投射される光のうち、特定の偏光方向を有する直線偏光のみを透過させ、前記スクリーンに投射させる
請求項１記載の情報表示装置。
【請求項３】
さらに、前記スクリーンに表示される情報を観察する観察者の視点位置と前記スクリーンとの間に設けられ、前記スクリーンから投射される光のうち、特定の偏光方向を有する直線偏光のみを透過させる第２偏光板を備える
請求項２記載の情報表示装置。
【請求項４】
前記第２偏光板は、前記観察者に前記第２偏光板を装着させるための装着手段を有し、前記観察者に装着されることにより、前記観察者の視点位置と前記スクリーンとの間に設けられる
請求項３記載の情報表示装置。
【請求項５】
前記情報表示装置は、２つの前記プロジェクタを備え、
前記第１偏光板は、２つの前記プロジェクタのうちの一のプロジェクタと前記スクリーンとの間にのみ設けられており、
他のプロジェクタは、前記観察者に対して認識させる情報を含む画像である本画像を前記スクリーンに投影し、
前記一のプロジェクタは、前記本画像以外の画像であるノイズ画像を前記スクリーンに投影し、
前記一のプロジェクタと、前記他のプロジェクタとは、前記ノイズ画像と前記本画像とが前記スクリーン上で合成される位置に設けられており、
前記回転駆動手段は、前記第１偏光板を、（ａ）前記第１偏光板を透過した直線偏光の偏光方向が、前記第２偏光板を透過する偏光方向になる回転位置に回転させる、または、（ｂ）前記第１偏光板を透過した直線偏光の偏光方向が、前記第２偏光板を透過しない偏光方向になる回転位置に回転させる
請求項３記載の情報表示装置。
【請求項６】
前記スクリーンは自発光する機能を有することで情報を表示し、
前記第１偏光板は、前記スクリーンと前記スクリーンに表示される情報を観察する観察者との間に設けられ、前記スクリーンから投射される光のうち、特定の偏光方向を有する直線偏光のみを透過させる
請求項１記載の情報表示装置。
【請求項７】
さらに、前記スクリーンに表示される情報を観察する観察者の視点位置と前記第１偏光板との間に設けられ、前記第１偏光板から投射される光のうち、特定の偏光方向を有する直線偏光のみを透過させる第２偏光板を備える
請求項６記載の情報表示装置。
【請求項８】
前記第２偏光板は、前記観察者に前記第２偏光板を装着させるための装着手段を有し、前記観察者に装着されることにより、前記観察者の視点位置と前記第１偏光板との間に設けられる
請求項７記載の情報表示装置。
【請求項９】
さらに、前記観察者の、前記スクリーンに表示される情報を観察する方位である観察方位を検知する検知手段を備え、
前記回転駆動手段は、前記検知手段により検知された前記観察方位に従い、前記第１偏光板を、（ａ）前記第１偏光板を透過した直線偏光の偏光方向が、前記第２偏光板を透過する偏光方向になる回転位置に回転させる、または、（ｂ）前記第１偏光板を透過した直線偏光の偏光方向が、前記第２偏光板を透過しない偏光方向になる回転位置に回転させる
請求項３または７に記載の情報表示装置。
【請求項１０】
前記情報表示装置は、複数の前記第１偏光板と、複数の前記第１偏光板のそれぞれを回転させる複数の前記回転駆動手段とを備え、
複数の前記第１偏光板のそれぞれは、それぞれの回転軸方向に重ならない位置に配置されており、
複数の前記回転駆動手段は、それぞれに第１偏光板を回転させる
請求項１記載の情報表示装置。
【請求項１１】
情報を表示するスクリーンから投射される光のうち、特定の偏光方向を有する直線偏光のみを透過させることで、前記スクリーンに表示される情報を観察する観察者に対し、前記情報を視認可能とする、または、視認不可能とする偏光板と、
前記偏光板を、前記偏光方向を変化させる方向に回転させる回転駆動手段と
を備える偏光装置。
【請求項１２】
さらに、前記観察者に前記偏光板を装着させるための装着手段を備え、
前記偏光板が前記観察者に装着されることにより、前記観察者に対し、前記情報を視認可能とする、または、視認不可能とする
請求項１１記載の偏光装置。
【請求項１３】
スクリーン上に情報を表示する情報表示方法であって、
第１偏光板により、前記スクリーンから投射される光が特定の偏光方向を有する直線偏光になるようにする第１偏光ステップと、
前記第１偏光板を、前記偏光方向を変化させる方向に回転させる回転ステップと
を含む情報表示方法。
【請求項１４】
前記情報は、プロジェクタから投射される光によりスクリーン上に表示されるものであり、
前記第１偏光板は、前記スクリーンと前記プロジェクタとの間に設けられており、
前記第１偏光ステップでは、前記第１偏光板により、前記プロジェクタから投射される光のうち、特定の偏光方向を有する直線偏光のみを透過させ、前記スクリーンに投射させる
請求項１３記載の情報表示方法。
【請求項１５】
さらに、前記スクリーンに表示される情報を観察する観察者の視点位置と前記スクリーンとの間に設けられた第２偏光板により、前記スクリーンから投射される光のうち、特定の偏光方向を有する直線偏光のみを透過させる第２偏光ステップと
を含む請求項１４記載の情報表示方法。
【請求項１６】
前記プロジェクタは、前記観察者に対して認識させる情報を含む画像である本画像以外の画像であるノイズ画像を前記スクリーンに投影するものであり、
前記情報表示方法はさらに、他のプロジェクタから前記スクリーンに投影される前記本画像と前記ノイズ画像との合成画像を前記スクリーン上に表示させる合成ステップを含み、
前記回転ステップでは、前記第１偏光板を、（ａ）前記第１偏光板を透過した直線偏光の偏光方向が、前記第２偏光板を透過する偏光方向になる回転位置に回転させる、または、（ｂ）前記第１偏光板を透過した直線偏光の偏光方向が、前記第２偏光板を透過しない偏光方向になる回転位置に回転させる
請求項１４記載の情報表示方法。
【請求項１７】
前記スクリーンは自発光する機能を有することで情報を表示するものであり、
前記第１偏光板は、前記スクリーンと前記スクリーンに表示される情報を観察する観察者との間に設けられており、
前記第１偏光ステップでは、前記第１偏光板により、前記スクリーンから投射される光のうち、特定の偏光方向を有する直線偏光のみを透過させる
請求項１記載の情報表示装置。
【請求項１８】
さらに、前記スクリーンに表示される情報を観察する観察者の視点位置と前記第１偏光板との間に設けられた第２偏光板により、前記第１偏光板から投射される光のうち、特定の偏光方向を有する直線偏光のみを透過させる第２偏光ステップを含む
請求項１７記載の情報表示方法。
【請求項１９】
さらに、前記観察者の、前記スクリーンに表示される情報を観察する方位である観察方位を検知する検知ステップを含み、
前記回転ステップでは、前記検知ステップにおいて検知された前記観察方位に従い、前記第１偏光板を、（ａ）前記第１偏光板を透過した直線偏光の偏光方向が、前記第２偏光板を透過する偏光方向になる回転位置に回転させる、または、（ｂ）前記第１偏光板を透過した直線偏光の偏光方向が、前記第２偏光板を透過しない偏光方向になる回転位置に回転させる
請求項１５または１８に記載の情報表示方法。
【請求項２０】
前記第１偏光ステップでは、それぞれの回転軸方向に重ならない位置に配置された複数の前記第１偏光板により、それぞれ異なる偏光方向の直線偏光のみを透過させ、
前記回転ステップでは、複数の前記第１偏光板をそれぞれ回転させる
請求項１３記載の情報表示方法。
【発明の詳細な説明】
【技術分野】
【０００１】
本発明は、情報をスクリーン上に表示する情報表示装置および情報表示方法に関する。
【背景技術】
【０００２】
近年、オフィスでの会議や話し合い、コミュニケーションなどの場において、その場の全員が閲覧可能なスクリーンなどに情報を表示し、その情報を利用しながら会話を進める機会が増加している。
【０００３】
このような場において、スクリーン上に表示される情報が全員に対して有益なものとは限らず、また、機密情報など特定のユーザのみが閲覧すべき情報も存在する。
【０００４】
そのため、スクリーンなど、全員が閲覧可能なパブリックなディスプレイに加え、ノート型パーソナルコンピュータ（ノートＰＣ）やＰｅｒｓｏｎａｌ  Ｄｉｇｉｔａｌ  Ａｓｓｉｓｔａｎｔｓ（ＰＤＡ）などを、特定のユーザのみが閲覧可能なプライベートなディスプレイとして併用することが多い。
【０００５】
これにより、パブリックな情報はスクリーンに投影することで会議等の参加者全員に伝えることができ、かつ、機密情報などプライベートな情報は、参加者個々のノートＰＣ等の端末装置に表示させることで参加者それぞれに伝えることができる。
【０００６】
このような、会議を円滑にすすめるための会議支援システムについての技術も開示されている（例えば特許文献１参照）。
【特許文献１】特開２００６−１３４０９４号公報
【発明の開示】
【発明が解決しようとする課題】
【０００７】
しかし、上述のような方法ではパブリックな情報を表示するディスプレイと、プライベートな情報を表示するディスプレイの両方がそれぞれ必要となる。
【０００８】
本発明は、上記従来の課題を考慮し、単一の表示領域を用い、複数の観察者それぞれに認識させる情報を容易に制御することのできる情報表示装置および情報表示方法を提供することを目的とする。
【課題を解決するための手段】
【０００９】
上記目的を達成するために、本発明の情報表示装置は、スクリーン上に情報を表示する情報表示装置であって、前記スクリーンから投射される光が特定の偏光方向を有する直線偏光になるようにする第１偏光板と、前記第１偏光板を、前記偏光方向を変化させる方向に回転させる回転駆動手段とを備える。
【００１０】
これにより、観察者が観察する情報における偏光方向を動的に変化させることが可能となる。従って、スクリーンに表示される情報を偏光板を介して観察する観察者に対し、認識させる情報を制御することが可能となる。
【００１１】
また、複数の観察者のそれぞれが、異なる偏光方向を有する偏光板を介して同一の方位からスクリーン上の情報を観察している場合、または、複数の観察者のそれぞれが、同一の偏光方向を有する偏光板を介して、異なる方位からスクリーン上の情報を観察している場合、それぞれの観察者に対する情報の視認可能化および視認不可能化、言い換えると、それぞれの観察者に対する情報の提示および隠蔽を制御することができる。
【００１２】
また、さらに、前記スクリーンに情報を投影するプロジェクタを備え、前記第１偏光板は、前記スクリーンと前記プロジェクタとの間に設けられ、前記プロジェクタから投射される光のうち、特定の偏光方向を有する直線偏光のみを透過させ、前記スクリーンに投射させるとしてもよい。
【００１３】
つまり、プロジェクタから投射される光を第１偏光板で直線偏光にした後に、スクリーンに投射させることで、スクリーンから観察者に向かって投射される光を特定の偏光方向を有する直線偏光とすることができる。
【００１４】
また、さらに、前記スクリーンに表示される情報を観察する観察者の視点位置と前記スクリーンとの間に設けられ、前記スクリーンから投射される光のうち、特定の偏光方向を有する直線偏光のみを透過させる第２偏光板を備えるとしてもよく、前記第２偏光板は、前記観察者に前記第２偏光板を装着させるための装着手段を有し、前記観察者に装着されることにより、前記観察者の視点位置と前記スクリーンとの間に設けられるとしてもよい。
【００１５】
これにより、当該情報表示装置による情報の提示および隠蔽の制御に最適な第２偏光板を観察者に提供することができる。また、第２偏光板を例えばメガネのような形態で観察者に装着させることで、より自然な視覚を観察者に与えることができる。
【００１６】
また、前記情報表示装置は、２つの前記プロジェクタを備え、前記第１偏光板は、２つの前記プロジェクタのうちの一のプロジェクタと前記スクリーンとの間にのみ設けられており、他のプロジェクタは、前記観察者に対して認識させる情報を含む画像である本画像を前記スクリーンに投影し、前記一のプロジェクタは、前記本画像以外の画像であるノイズ画像を前記スクリーンに投影し、前記一のプロジェクタと、前記他のプロジェクタとは、前記ノイズ画像と前記本画像とが前記スクリーン上で合成される位置に設けられており、前記回転駆動手段は、前記第１偏光板を、（ａ）前記第１偏光板を透過した直線偏光の偏光方向が、前記第２偏光板を透過する偏光方向になる回転位置に回転させる、または、（ｂ）前記第１偏光板を透過した直線偏光の偏光方向が、前記第２偏光板を透過しない偏光方向になる回転位置に回転させるとしてもよい。
【００１７】
これにより、例えば、観察者が第２偏光板を介さずにスクリーンを観察した場合であっても、ノイズ画像の存在により本画像を視認させないようにすることが可能となる。
【００１８】
また、ノイズ画像は直線偏光により提示される。そのため、そのノイズ画像における偏光方向を第２偏光板を透過しない方向にすることで、第２偏光板を介して観察する観察者からすると、合成された画像内のノイズ画像の成分がフィルタリングされ、本画像が視認できることとなる。
【００１９】
また、本発明の情報表示装置において、前記スクリーンは自発光する機能を有することで情報を表示し、前記第１偏光板は、前記スクリーンと前記スクリーンに表示される情報を観察する観察者との間に設けられ、前記スクリーンから投射される光のうち、特定の偏光方向を有する直線偏光のみを透過させるとしてもよい。
【００２０】
これにより、例えば、液晶ディスプレイまたはプラズマディスプレイ等の自発光する機能を有するスクリーンを、本発明の情報表示装置に用いることができる。また、スクリーンから投射された光をスクリーン前面側に設けた第１偏光板で直線偏光にすることにより、スクリーンから観察者に向かって投射される光を特定の偏光方向を有する直線偏光とすることができる。
【００２１】
また、このように、スクリーンと観察者との間に第１偏光板を備える構成の情報表示装置は、さらに、上述の第２偏光板を備えてもよい。この場合、第２偏光板は、観察者の視点位置と第１偏光板との間に設けられることになる。
【００２２】
また、さらに、前記観察者の、前記スクリーンに表示される情報を観察する方位である観察方位を検知する検知手段を備え、前記回転駆動手段は、前記検知手段により検知された前記観察方位に従い、前記第１偏光板を、（ａ）前記第１偏光板を透過した直線偏光の偏光方向が、前記第２偏光板を透過する偏光方向になる回転位置に回転させる、または、（ｂ）前記第１偏光板を透過した直線偏光の偏光方向が、前記第２偏光板を透過しない偏光方向になる回転位置に回転させるとしてもよい。
【００２３】
これにより、例えば、観察者が移動した場合であっても、観察方位に応じて、その観察者に対して情報を提示し続けること、または、情報を隠蔽し続けることが可能となる。
【００２４】
また、このように、観察方位を検知し、検知された観察方位に従って第１偏光板の回転位置を制御する構成は、第１偏光板がプロジェクタとスクリーンとの間に備えられた構成であっても、第１偏光板がスクリーンと観察者との間に備えられた構成であっても上記効果を発揮することができる。
【００２５】
また、本発明の情報表示装置は、複数の前記第１偏光板と、複数の前記第１偏光板のそれぞれを回転させる複数の前記回転駆動手段とを備え、複数の前記第１偏光板のそれぞれは、それぞれの回転軸方向に重ならない位置に配置されており、複数の前記回転駆動手段は、それぞれに第１偏光板を回転させるとしてもよい。
【００２６】
これにより、単一の表示領域である１つのスクリーン上に表示されている情報のうち、領域ごとに視認可能な観察方位を変更することができる。
【００２７】
また、本発明の偏光装置は、情報を表示するスクリーンから投射される光のうち、特定の偏光方向を有する直線偏光のみを透過させることで、前記スクリーンに表示される情報を観察する観察者に対し、前記情報を視認可能とする、または、視認不可能とする偏光板と、前記偏光板を、前記偏光方向を変化させる方向に回転させる回転駆動手段とを備える。
【００２８】
これにより、例えば、スクリーン上の画像における偏光方向が固定されている場合であっても、特定の偏光方向の光のみを観察者に到達させることができる。また、その偏光方向は回転駆動手段により変更することができる。つまり、本発明の情報表示装置と同様に、観察者に対する情報の提示および隠蔽を制御することができる。
【００２９】
また、本発明の偏光装置を、本発明の情報表示装置とともに使用した場合、観察者が複数存在する場合において、１つの画像を１人の観察者に排他的に視認可能とするだけでなく、その状態から、複数の観察者に対して同時に視認可能とすることや視認不可能とすることも可能となる。
【００３０】
さらに、本発明は、本発明の情報表示装置における特徴的な構成部をステップとする方法として実現したり、それらのステップを含むプログラムとして実現したり、そのプログラムが格納されたＣＤ−ＲＯＭ等の記憶媒体として実現したり、集積回路として実現することもできる。プログラムは、通信ネットワーク等の伝送媒体を介して流通させることもできる。
【発明の効果】
【００３１】
本発明により、単一の表示領域を用い、複数の観察者それぞれに認識させる情報を容易に制御することのできる情報表示装置および情報表示方法を提供することができる。
【００３２】
さらに、直線偏光によって提示される情報の視認可能化および視認不可能化を容易に制御することのできる偏光装置を提供することができる。
【発明を実施するための最良の形態】
【００３３】
以下、本発明の実施の形態について図面を用いて詳細に説明する。
まず、本実施の形態の情報表示装置における情報表示機能の基本原理について図１および図２を用いて説明する。
【００３４】
図１は、本実施の形態の情報表示装置における情報表示機能の基本原理を説明するための図である。なお、図においてＸＹ平面は、水平である。
【００３５】
図１に示すように、本実施の形態の情報表示装置は、水平に設置された透過型のスクリーン、そのスクリーンに情報を投影するプロジェクタ、および、投射される光のうち特定の偏光方向を有する直線偏光のみを透過させる直線偏光板（以下、単に「偏光板」という。）を備えている。
【００３６】
プロジェクタは、具体的には、文字、図形、および写真等を画像としてスクリーンに投影する。また、画像は静止画像または動画像のいずれ、もしくはそれらの組合せである。
【００３７】
偏光板は、スクリーンとプロジェクタとの間に設けられ、モータなどにより回転することで偏光方向を制御することができる。
【００３８】
なお、このスクリーンとプロジェクタとの間に設けられた偏光板は、本発明の情報表示装置における第１偏光板の一例である。また、「偏光板を回転させる」という場合、偏光板を通過する光の偏光方向を変化させる方向に回転させることを指す。
【００３９】
例えば、図１に示すように、偏光板が円盤形状である場合、ほぼ中心を回転軸とし周方向に回転させることになる。
【００４０】
プロジェクタから投射される光は、この偏光板を通過する際、直線偏光となり、スクリーンに投射される。
【００４１】
なお、図１および以下で参照する図において、偏光方向を明確にするためストライプとして偏光方向を表示しているが、人間の目にはこのストライプは認識されない。また、ここでは偏光方向とは可視光の電界成分の方向とする。
【００４２】
また、本実施の形態においては、情報表示装置は透過型のスクリーンに情報を表示する構成であり、いわゆるリアプロジェクション方式の情報表示装置である。しかしながら、情報表示装置は反射型のスクリーンに情報を表示する構成であってもよい。
【００４３】
具体的には、プロジェクタからの光を反射する際に、投射される光の偏光方向をある程度保てる反射型のスクリーンを備えていればよい。
【００４４】
このようなスクリーンとしては、例えば、シルバースクリーンと呼ばれる、金属紛が混ざった塗料で塗装されたスクリーンがある。
【００４５】
つまり、本発明は、プロジェクタとスクリーンを観察する観察者の視点とがスクリーンに対して同じ側にある、いわゆるフロントプロジェクション方式の情報表示装置としても実現できる。
【００４６】
図１では、偏光板の回転位置が、偏光方向がＹ軸方向に平行となる回転位置であり、投影された画像は理想的にはＹ軸方向に平行な偏光成分だけとなる。
【００４７】
図２は、図１に示す構成における各視点位置での画像の見え方を示す模式図である。
スクリーンを観察する観察者は、直線偏光としてスクリーンに投影された画像を、自身の視点位置前方に設置された偏光板を通して観察する。
【００４８】
なお、本実施の形態においては、観察者はこの偏光板を備える偏光メガネを装着している。
【００４９】
この偏光メガネにおける偏光板は、本発明の情報表示装置における第２偏光板の一例であり、観察者に偏光板を装着させる装着手段としてフレームを有している。つまり、この偏光板は、観察者に装着されることにより、観察者の視点位置とスクリーン２０との間に設けられることになる。
【００５０】
また、観察者が偏光メガネを装着した場合、偏光板は偏光方向が鉛直方向を向くように、つまり偏光方向が縦方向になるようにフレームと結合している。
【００５１】
偏光メガネを通して観察される画像は、投影画像の偏光方向と、視点位置前方の偏光板の偏光方向とのなす角度に応じて輝度が変化する。
【００５２】
具体的には、投影された画像のあるピクセルを、ある観察方位から偏光メガネを通さずに観察した輝度をＩとし、Ｙ軸方向と観察方位とのなす角度θをとすると、その方位で偏光メガネを通して観察される同ピクセルの輝度ＩOは、理想的には（式１）のように表すことができる。
【００５３】
【数１】
2008064898.tif 000003
【００５４】
すなわち、図２の右図に示すように観察方位に応じて観察される投影画像の明るさが変化する。例えば、θが０°となる方位Ａでは、理論上の輝度ＩOはＩと等しくなり、最も明るい画像が視認されることになる。
【００５５】
また、θが９０°となる方位Ｃでは、理論上の輝度ＩOは０となり、観察者により視認される画像は最も暗くなることになる。
【００５６】
この最も画像が明るく視認される観察方位、または、最も暗く視認される観察方位は、スクリーンに投影される画像の偏光方向を変化させることで、自由に変化させることができる。つまり、これら観察方位は、プロジェクタ前方に設置された偏光板の回転位置を制御することにより、自由に変更することができる。
【００５７】
次に図３〜図７を用いて、本実施の形態の情報表示装置の基本的な構成を説明する。
図３は、本実施の形態の情報表示装置２を含むディスプレイシステム１の構成概要を示す図である。
【００５８】
図３に示すように、ディスプレイシステム１は、情報表示装置２と、情報表示装置２の動作を制御するＰＣ３とを備える。
【００５９】
情報表示装置２は、プロジェクタボックス１０と、偏光板１１とスクリーン２０と鏡３０とを備える。なお、図において点線で示される部分は、情報表示装置２全体を支える筐体を表している。
【００６０】
プロジェクタボックス１０は、偏光板１１を回転させる機構、および上述のプロジェクタを有する構成部である。また、詳細については図４を用いて後述する。
【００６１】
偏光板１１は、上述のように、プロジェクタから投射される光のうち特定の偏光方向を有する直線偏光のみを透過させる直線偏光板である。
【００６２】
スクリーン２０は、上述のように、透過型のスクリーンであり、プロジェクタボックスから偏光板１１を介して投射される光によりスクリーン２０上に画像が表示される。
【００６３】
鏡３０は、プロジェクタボックス１０から偏光板１１を介して投射される光の進行方向を変え、スクリーン２０に投射させる構成部である。従って、例えばプロジェクタボックス１０を情報表示装置２の下部に設置し、プロジェクタボックス１０からスクリーン２０に画像を直接投影する場合には不要である。
【００６４】
また、ＰＣ３と情報表示装置２とは回線で接続されており、情報表示装置２は、ＰＣ３から送信される画像信号を受け取りスクリーン２０上に当該画像を表示する。また、偏光板１１の回転位置を制御するための制御信号もＰＣ３から送信される。
【００６５】
図４は、プロジェクタボックス１０の構成概要を示す図である。
図４（Ａ）は、上面（Ｚ軸方向）から見た場合のプロジェクタボックス１０の構成概要を示す図であり、図４（Ｂ）は、側面（Ｙ軸方向）から見た場合の構成概要を示す図である。
【００６６】
図４（Ａ）および図４（Ｂ）に示すように、プロジェクタボックス１０は、プロジェクタ１２と、回転駆動部１３とを有している。
【００６７】
回転駆動部１３は、偏光板１１を回転させる構成部であり、モータ１３ａと、モータ制御部１３ｂとから構成される。
【００６８】
モータ１３ａの軸の端部には偏光板１１が取り付けられており、モータ制御部１３ｂの制御のもとで、偏光板１１の回転位置を変化させることができる。なお、モータ１３ａは、例えば、所定の回転角度ごと軸を回転させるステッピングモータにより実現される。
【００６９】
モータ制御部１３ｂは、ＰＣ３から受け取る制御信号に応じてモータ１３ａの駆動を制御することにより、偏光板１１の回転位置を制御する。
【００７０】
プロジェクタ１２は、ＰＣ３から受け取る画像信号を処理し、処理により得られる画像をスクリーン２０に投影する。
【００７１】
以上図３および図４を用いて説明した情報表示装置２の構成をまとめると、図５に示すブロック図となる。
【００７２】
以上のように構成された情報表示装置２における、表示画像の偏光方向と観察方位ごとの輝度の関係を図６および図７を用いて説明する。
【００７３】
図６は、表示画像の偏光方向と観察方位ごとの輝度との関係を調べるための実験における計測機器等の配置を示す図である。
【００７４】
図６（Ａ）は、実験時の情報表示装置２を上面から見た図であり、図６（Ｂ）は側面から見た図である。
【００７５】
図６（Ａ）に示すように、スクリーン２０に投影された画像についての、視点位置前方に設置する偏光板による輝度減衰を、色彩輝度計を用いて投影画像の偏光方向、観察方位ごとに計測した。
【００７６】
この、色彩輝度計とスクリーン２０との間にある偏光板は、観察者が装着する偏光メガネにおける偏光板に相当する。
【００７７】
また、図６（Ａ）に示すように、色彩輝度計を設置する観察方位を示す角度をγとする。なお、輝度を計測する際、スクリーン２０の中央に白色の楕円を表示させ、その中央の輝度を計測する。
【００７８】
さらに、偏光板による偏光方向、すなわちスクリーン２０に表示された白色円の偏光方向をθとし、γを３０°ごとに変化させ、また、θを１５°ごとに変化させ輝度を計測する。
【００７９】
また、図６（Ｂ）に示すように色彩輝度計と水平面とのなす角度は４５°と固定する。これは、日本人男子の平均的な視点の高さ１６００ｍｍ程度から水平面に設置したスクリーンの長辺の縁に立ち、スクリーン中央付近を観察した際の角度におおよそ一致する角度としている。
【００８０】
以上のようにして計測された結果の例を図７に示す。
図７は、図６に示す実験の結果の例を示す図である。
【００８１】
図７（Ａ）は、視点位置（色彩輝度計の位置）前方に偏光板を設置せずに観察方位γおよび偏光方向θを変更しながら測定された輝度を示すグラフである。
【００８２】
図７（Ｂ）は、視点位置前方に偏光板を設置し、観察方位γおよび偏光方向θを変更しながら測定された輝度を示すグラフである。
【００８３】
なお、図７（Ａ）および図７（Ｂ）の各グラフにおいて、グラフ上に打たれた点の形状がγの値に対応する。また、横軸は、投影画像の偏光方向を示す角度θ（単位は°）を表し、縦軸は、測定された輝度（単位はカンデラ（ｃｄ））を表している。
【００８４】
図７（Ｃ）は、図７（Ａ）および図７（Ｂ）に示す結果から求められる、視点位置前方の偏光板による輝度減衰を示すグラフである。
【００８５】
図７（Ｃ）において、横軸は、図７（Ａ）および図７（Ｂ）と同じく、投影画像の偏光方向θを表している。また、縦軸は、（式２）に示す計算式で求められた輝度比率を表している。
【００８６】
【数２】
2008064898.tif 000004
【００８７】
図７（Ｃ）のグラフに示すように、色彩輝度計前方の直線偏光板を通過する輝度の変化は、ほぼ上述の（式１）に即した正弦的な変化となっている。
【００８８】
例えば、観察方位を示す角度γが０°、つまり、Ｘ軸方向に平行な方向から計測された輝度に着目すると、画像の偏光方向を示す角度θがほぼ９０°、つまり、画像の偏光方向がＸ軸方向にほぼ平行な場合に輝度比率は最大値を取っている。また、観察方位と偏光方向とがほぼ直交する場合、例えば、θが０°および１８０°の場合に、輝度比率は最小値を取っている。
【００８９】
また、輝度比率の最大値が１．０および最小値が０とならず、それぞれ０．７、０．０５程度であるのは偏光板の材質そのものによる減衰、および、スクリーン２０の表面や空気による偏光の崩れ等が原因と考えられる。
【００９０】
なお、輝度比率の最大値が０．７程度あれば、スクリーン２０に表示される画像、つまり表示される情報（以下、「表示情報」ともいう。）を観察者に視認させることは可能である。
【００９１】
また、輝度比率の最小値が０．０５程度であれば、蛍光灯の明かりなどの外乱などにより、観察者に実質的に視認させないことが可能である。
【００９２】
以上、各グラフに示した各実験値は一例であり、スクリーン２０の表面の散乱方向等の特性および、偏光板の材質などの各種条件により異なる。しかし、上述のように、情報を示す画像の偏光方向と、観察方位とがなす角度を変化させることにより、当該観察方位に対応する観察者に対する、スクリーン２０上に表示される情報の提示および隠蔽を制御することができる。
【００９３】
さらに、その観察者が情報表示装置２に対する相対方位を変えた場合であっても、同様に表示情報の提示および隠蔽を制御できる。
【００９４】
言い換えると、観察者に視認される画像の輝度が最大となる方位、および最低となる方位を自由に制御することができる。
【００９５】
次に、複数の観察者のそれぞれに対し、情報の提示および隠蔽を行う場合の、情報表示装置２の動作について、図８および図９を用いて説明する。
【００９６】
図８は、２人の観察者のうちの１人にのみ情報を提示する場合の、情報表示装置２の動作概要を説明するための図である。
【００９７】
なお、図８において、説明の簡略化のためにプロジェクタボックス１０の図示を省略している。後述する図９等でも同様である。
【００９８】
図８に示すように、スクリーン２０に表示されている情報、具体的には人間の顔を表した画像における偏光方向は、Ｙ軸に平行な方向である。これは、偏光板１１の回転位置が、Ｙ軸に平行な直線偏光を透過させる回転位置であるためである。
【００９９】
そのため、Ｙ軸方向に平行な方向を観察方位とする観察者ａにおいては、画像における偏光方向と、観察方位とが平行である。つまり、（式１）においてθ＝０°となり、スクリーン２０に表示されている画像を視認することができる。
【０１００】
また、Ｙ軸方向に直交する方向を観察方位とする観察者ｂにおいては、画像における偏光方向と、観察方位とが直交する。つまり、（式１）においてθ＝９０°となり、偏光メガネ４によってスクリーン２０上の画像がフィルタリングされるため、その画像を視認することができない。
【０１０１】
つまり、情報表示装置２は、観察者ａに対して表示情報を提示し、観察者ｂに対して表示情報を隠蔽している状態である。
【０１０２】
情報表示装置２は、このような状態から、偏光板１１を回転させることにより、観察者ｂに対して表示情報を提示し、観察者ａに対して表示情報を隠蔽する状態に変化させることができる。
【０１０３】
図９は、図８に示す状態から、表示情報を提示する観察者を変更する場合の情報表示装置２の動作概要を説明するための図である。
【０１０４】
図９に示すように、観察者ａおよび観察者ｂそれぞれの位置は図８に示す場合と同じである。しかし、偏光板１１が９０°回転することで、スクリーン２０に表示されている画像における偏光方向がＸ軸方向に平行な方向に変化している。
【０１０５】
これにより、観察者ａは、偏光メガネ４によってスクリーン２０上の画像がフィルタリングされるため、スクリーン２０に表示されている画像を視認することができない。
【０１０６】
また、Ｘ軸方向に平行な方向を観察方位とする観察者ｂは、表示画像における偏光方向と観察方向とが平行となるため、スクリーン２０に表示されている画像を視認することができる。
【０１０７】
このように、本実施の形態の情報表示装置２は、単一の表示領域であるスクリーン２０に表示される情報を、複数の観察者それぞれに提示するか否かを制御することができる。
【０１０８】
これにより、例えば、複数の観察者全員に視認させるべきパブリックな情報は、それぞれの観察者に提示し、特定の観察者にのみ視認させるべきプライベートな情報は、当該観察者のみに提示し、他の観察者に対しては隠蔽するといったことが、単一の情報領域を用いて実現できる。
【０１０９】
（拡張例１）
上述のように、情報表示装置２は、最も画像が明るく視認される観察方位、および、最も暗く視認される観察方位を自由に変化させることができる。
【０１１０】
従って、ある観察者が情報表示装置２の周りを移動した場合であっても、その観察者に対し常に表示情報を提示するように、または、その観察者に対し常に表示情報を隠蔽するようにすることも可能である。
【０１１１】
そこで、ディスプレイシステム１の拡張例１として、偏光板の回転位置を特定の観察者の動きに追従させるディスプレイシステムについて説明する。
【０１１２】
図１０は、偏光板の回転位置を特定の観察者の動きに追従させる場合のディスプレイシステム１の構成概要を示す図である。
【０１１３】
図１０に示すように、観察者ａは偏光メガネ４を装着しており、偏光メガネ４には、観察者ａの位置を追尾するための発信機５が取り付けられている。
【０１１４】
発信機５から送信される信号は、ＰＣ３に接続されたアンテナ６に受信され、ＰＣ３は、例えば、受信信号の変化を解析することにより、少なくとも、観察者ａの情報表示装置２に対する観察方位を検知することができる。
【０１１５】
つまり、発信機５およびＰＣ３により、本発明の情報表示装置における検知手段が有する、観察者の方位を検知する機能が実現される。
【０１１６】
ＰＣ３は、観察者ａの観察方位を検知すると、スクリーン２０上に表示される画像における偏光方向を、検知した観察方位に追従させるように偏光板１１を回転させる制御信号を情報表示装置２に送信する。
【０１１７】
情報表示装置２では、モータ制御部１３ｂがその制御信号を受け取り、その制御信号に従って、モータ１３ａを回転させる。つまり、偏光板１１の回転位置を変化させる。
【０１１８】
図１１は、スクリーン２０上に表示される画像における偏光方向を、特定の観察者の動きに追従して変化させる様子を示す図である。
【０１１９】
具体的には、図１１は、スクリーン２０に表示される画像における偏光方向を、観察者ａの観察方位に常に平行な向きになるように変更する様子を示している。つまり、観察者ａは、スクリーン２０に表示されている画像を常に視認することができる状態である。
【０１２０】
また、逆に、スクリーン２０に表示される画像における偏光方向を、観察者ａの観察方位と常に直交する向きになるように変更した場合、観察者ａに対する輝度が最小な状態が保たれることになる。つまり、観察者ａがどの位置にいる場合であても、常に表示情報が隠蔽されることになる。
【０１２１】
このように、観察者の情報表示装置２に対する観察方位が変化した場合であっても、その観察者に対する表示情報の視認可能状態または視認不可能状態を保持することができる。これは、観察方位が変化した角度に従って、偏光板１１を回転させることで実現される。
【０１２２】
例えば、図１１の上段に示す状態を基準の観察方位（角度０°）とした場合、観察者が移動し、観察方位が図１１において時計回りに１０°変化した場合、偏光板１１を反時計回り（図１１においてＸ軸に平行に右方向から見た場合）に１０°回転させればよい。
【０１２３】
このような動作を行う情報表示装置２は、例えば、１人を鬼とするようなゲームなどのアプリケーションにおいて鬼に情報を隠蔽することに利用できる。
【０１２４】
また、例えば、動きを追尾される観察者を動的に切り替えることで、各観察者に部分的に欠けた情報を与え、全体を推理する知能テストをしたりなどといった、主にエンタテインメント要素のあるアプリケーションに利用できる。
【０１２５】
なお、本拡張例において、観察者ａの情報表示装置２に対する観察方位を検知するために発信機５を用いているが、他の手段で当該観察方位を検知してもよい。
【０１２６】
例えば、観察者ａの上方にカメラを設置し、カメラによる撮像を画像解析することで、当該観察方位を検知してもよい。
【０１２７】
つまり、観察者ａの情報表示装置２に対する観察方位を検知するための装置および方式等はどのようなものであってもよい。要するに、当該観察方位を検知し、検知偏光板１１の回転位置の制御に利用できる情報を出力できる装置および方式等であればよい。
【０１２８】
（拡張例２）
上述のように、本実施の形態の情報表示装置２は、表示情報が視認可能となる観察方位を動的に変更することが可能である。
【０１２９】
しかし、偏光メガネ４を装着していない観察者に対しては表示情報を隠蔽することができない。また、表示情報が隠蔽される観察者も、上述の観察方位を追尾される観察者、およびその真正面に位置する観察者に対してのみとなる。
【０１３０】
そこで、拡張例２として、偏光メガネ４を装着していない観察者に対しても表示情報の提示および隠蔽を制御することのできる情報表示装置２の構成について説明する。
【０１３１】
図１２は、前方に偏光板１１を設置したプロジェクタと、偏光板１１を設置しないプロジェクタとを併用した場合の情報表示装置２の構成概要を示す図である。
【０１３２】
なお、拡張例２における情報表示装置２の特徴を端的に示すため、鏡３０等の他の構成部の図示は省略する。
【０１３３】
図１２に示すように、拡張例２における情報表示装置２は、２台のプロジェクタを備えており、それぞれプロジェクタ１２ａおよびプロジェクタ１２ｂとする。
【０１３４】
プロジェクタ１２ａは、ノイズ画像をスクリーン２０に投影しており、プロジェクタ１２ｂは、観察者に視認されるべき情報を含む画像（以下、「本画像」という。）をスクリーン２０に投影している。
【０１３５】
ここで、プロジェクタ１２ｂの前面には偏光板１１はなく、プロジェクタ１２ｂから投影される本画像は直線偏光にされることなくスクリーン２０に投影される。そのため、プロジェクタ１２ｂのみが本画像を投射した場合、観察者が偏光メガネ４を装着しているか否かに関わらず、全ての観察者は本画像を視認可能である。
【０１３６】
しかし、プロジェクタ１２ａからは、ノイズ画像が投射されており、スクリーン２０上では本画像とノイズ画像とが合成され表示されている。また、プロジェクタ１２ａの前面には偏光板１１が備えられており、ノイズ画像は特定の偏光方向を有する画像としてスクリーン２０に表示されることになる。また、偏光板１１は、図４に示したように、回転駆動部１３により回転される。
【０１３７】
従って、偏光メガネ４を装着している観察者は、スクリーン２０に表示されているノイズ画像の偏光方向によってはノイズ画像が偏光メガネ４によりフィルタリングされ、本画像を視認することができる。
【０１３８】
なお、ノイズ画像の存在による本画像の隠蔽は、例えば、本画像の輝度とノイズ画像の輝度との相対的な関係を調整することにより可能である。例えば、本画像の輝度を低くし、ノイズ画像の輝度を高くすることで、本画像を隠すことが可能である。
【０１３９】
また、ノイズ画像は、本画像以外の画像を意味しており。例えば、ホワイトノイズ画像のような全く無意味な画像でもよく、本画像とは無関係な風景の画像等でもよい。
【０１４０】
図１３は、図１２に示す情報表示装置２の構成における観察方位と画像の見え方との関係を示す模式図である。
【０１４１】
方位Ａでは、ノイズ画像における偏光方向と、観察方位とが平行である。つまり、ノイズ画像の輝度が最も高い状態になる。これにより、方位Ａからは本画像を視認することはできない。
【０１４２】
方位Ｂでは、ノイズ画像における偏光方向と、観察方位とのなす角度がおおよそ４５°である。つまり、ノイズ画像の輝度が相対的に低くなる。これにより、方位Ｂからは、ノイズ混じりの本画像が視認されることとなる。
【０１４３】
方位Ｃでは、ノイズ画像における偏光方向と、観察方位とが直交する。つまり、ノイズ画像はほぼフィルタリングされる。これにより、方位Ｃから本画像を視認することができる。
【０１４４】
このように、観察方位に応じて本画像を視認できるか否かが変わることになる。従って、ノイズ画像における偏光方向を制御することで、特定の方位に存在する観察者に対して本画像を視認可能とするか否か、つまり、情報を提示するか否かを制御することができる。
【０１４５】
また、ノイズ画像における偏光方向とは関係なく、偏光メガネ４を装着していない観察者には、ノイズ画像の存在により本画像を視認させないことができる。
【０１４６】
図１４は、図１２に示す構成を備える情報表示装置２を用いて、特定の観察者のみに情報を提示する様子を示す図である。
【０１４７】
図１４（Ａ）に示すように、ノイズ画像における偏光方向をＸ軸方向に平行にした場合、観察者ａの観察方位と、ノイズ画像における偏光方向とが直交する。そのため、ノイズ画像は偏光メガネ４によりフィルタリングされ、観察者ａは本画像を視認することができる。
【０１４８】
しかし、観察者ｂの観察方位と、ノイズ画像における偏光方向とは平行である。そのため、ノイズ画像は偏光メガネ４を透過し、観察者ｂは、ノイズ画像の存在により本画像を視認することはできない。
【０１４９】
また、偏光メガネ４を装着していない観察者ｃはスクリーン２０に表示されている画像をそのまま視認することになり、観察者ｂと同じくノイズ画像の存在により本画像を視認することはできない。
【０１５０】
ここで、ノイズ画像における偏光方向をＹ軸方向に平行になるように変更すると、各観察者からの画像の見え方は、図１４（Ｂ）に示すようになる。
【０１５１】
具体的には、情報表示装置２において、偏光板１１が９０°回転することにより、ノイズ画像における偏光方向がＹ軸方向に平行に変更される。
【０１５２】
この場合、今まで本画像が視認可能であった観察者ａの観察方位は、ノイズ画像における偏光方向と平行となり、ノイズ画像は偏光メガネ４を透過する。従って、観察者ａは本画像を視認することができなくなる。
【０１５３】
一方、今まで本画像が視認不可能であった観察者ｂの観察方位は、ノイズ画像における偏光方向と直交することとなり、ノイズ画像は偏光メガネ４によりフィルタリングされる。従って、観察者ｂは本画像を視認することができるようになる。
【０１５４】
また、偏光メガネ４を装着していない観察者ｃにとっては、ノイズ画像における偏光方向は無関係であり、ノイズ画像の存在により本画像を視認することはできない。
【０１５５】
このように、図１２示す構成では、情報を特定の方位からのみノイズ画像を視認不可能とすることで、情報を提示する対象となる観察者を変更できる。また、偏光メガネ４を装着していない観察者、つまり、スクリーン２０上に表示される情報を偏光板を介さずに観察する観察者に対しては、常に情報を隠蔽することができる。
【０１５６】
なお、このノイズ画像の輝度は離散的ではなく正弦的に連続的な変化をするため、本画像に対し、どの程度のノイズ画像の輝度で情報が認識可能かについて検証を行うことで、本画像が示す情報を認識可能な、情報表示装置２周辺部の領域をある程度調整することも可能である。
【０１５７】
これにより、例えば、近くにいる観察者にのみ情報を提示するといったことも可能になる。
【０１５８】
また、偏光板を前方に設置しているプロジェクタ１２ａから、ノイズ画像ではなく、観察者に提示したい情報を示す画像を投射してもよい。つまり、プロジェクタ１２ａおよびプロジェクタ１２ｂがそれぞれ異なる本画像を投射してもよい。
【０１５９】
例えば、図１４（Ａ）に示す状態では、観察者ａは、本画像のみを視認している状態である。つまり、プロジェクタ１２ａから投射されたノイズ画像を視認できない状態である。
【０１６０】
ここで、プロジェクタ１２ａから何らかの意味のある情報を示す画像を投射した場合を想定する。以下、プロジェクタ１２ａおよびプロジェクタ１２ｂから投射される画像をそれぞれ本画像Ａおよび本画像Ｂとする。
【０１６１】
この場合、観察者ｂおよび観察者ｃは、本画像Ａおよび本画像Ｂを視認することができる。しかし、観察者ａは本画像Ａを視認することができず、本画像Ｂのみを視認することができる。つまり、観察者ａのみが、本画像Ａを視認できない状態である。
【０１６２】
この時、ノイズ画像を部分的または全体的に消すと、その部分または全体の情報は、全員から視認可能となる。つまり、観察者全員にパブリックな情報となる。
【０１６３】
このように、情報表示装置２は、観察者全員に表示情報を提示するとともに、特定の観察者のみを情報の提示対象から外すような動作も可能である。
【０１６４】
以上説明したように、拡張例２における情報表示装置２は、単一の表示領域である１つのスクリーン２０上に、容易にパブリックな情報とプライベートな情報とを共存させることができる。
【０１６５】
具体的には、偏光板を介さずにスクリーン２０上の情報を観察する観察者に対しては表示情報を隠蔽することができる。また、観察者全員にパブリックな情報を提示しつつ、プライベートな情報を特定の観察者のみに提示または特定の観察者のみから隠蔽することができる。
【０１６６】
（拡張例３）
以上説明した情報表示装置２は、偏光板１１は１つだけであり、偏光板１１を前方に設置したプロジェクタから表示される画像における偏光方向はすべて単一の方向である。従って、視認可能な観察方位を制御できるのはその画像全体に対してである。
【０１６７】
そこで、拡張例３として、情報表示装置２が、１つの画像に対する視認可能な観察方位を、その画像に含まれる互いに異なる領域ごとに制御する場合について説明する。
【０１６８】
具体的には、情報表示装置２は、１つのプロジェクタ１２の前方に複数の偏光板１１を備え、領域ごとに異なる偏光方向を設定することが可能な構成をとる。これにより、視認可能な観察方位を領域ごとに制御することができる。
【０１６９】
図１５は、１つのプロジェクタ１２の前方に２枚の偏光板１１を設置した場合の情報表示装置２の構成概要を示す図である。
【０１７０】
なお、拡張例３における情報表示装置２の特徴を端的に示すため、鏡３０等の他の構成部の図示は省略する。
【０１７１】
図１５に示すように、拡張例３における情報表示装置２は、１台のプロジェクタ１２を備え、その前方に２枚の偏光板１１を備えている。なお、各偏光板１１はそれぞれの回転駆動部１３により回転位置の変更が可能であり、それら回転位置は独立して制御可能である。
【０１７２】
また、それぞれの偏光板１１は、回転軸方向に重ならないように並べて設置されている。
【０１７３】
なお、プロジェクタ１２からは図に示す画像が投射されていると想定し、図において左側の顔の画像を部分画像αとし、右側の顔の画像を部分画像βとする。
【０１７４】
また、部分画像αおよび部分画像βは、プロジェクタ１２から投射される画像内において、プロジェクタ１２から投射された後にそれぞれ偏光板１１を通過してスクリーン２０に投影される位置に存在している。
【０１７５】
情報表示装置２は、このような構成をとることにより、プロジェクタ１２が投射する画像内の２つの領域のそれぞれの偏光方向を独立して制御することができる。
【０１７６】
つまり、図１５に示す構成をとる場合においては、部分画像αおよび部分画像βそれぞれの視認可能な観察方位を独立して制御することができる。
【０１７７】
図１６は、図１５に示す構成を備える情報表示装置２を用いて、１つの画像に含まれる２つの領域のそれぞれの視認可能な観察方位を変更する様子を示す図である。
【０１７８】
図１６（Ａ）に示す状態では、部分画像αにおける偏光方向はＹ方向に平行な方向である。また、部分画像βにおける偏光方向はＸ軸方向に平行な方向である。
【０１７９】
従って、観察方位がＹ軸方向に平行である観察者ａは部分画像αを視認することはできるが、偏光方向が観察方位と直交する関係にある部分画像βを視認することはできない。
【０１８０】
一方、観察方位がＸ軸方向に平行である観察者ｂは部分画像βを視認することはできるが、偏光方向が観察方位と直交する関係にある部分画像αを視認することはできない。
【０１８１】
このような状態から、部分画像αおよび部分画像βのそれぞれにおける偏光方向を９０°回転させる。具体的には、部分画像αおよび部分画像βのそれぞれに対応する偏光板１１が、それぞれ９０°回転することにより、部分画像αおよび部分画像βのそれぞれにおける偏光方向が９０°回転する。
【０１８２】
これにより、各観察者が観察する画像は、図１６（Ｂ）に示すように変化することになる。
【０１８３】
図１６（Ｂ）に示すように、部分画像αおよび部分画像βにおける偏光方向は、図１６（Ａ）に示す場合とは逆になる。つまり、部分画像αにおける偏光方向はＸ軸方向に平行となり、部分画像βにおける偏光方向はＹ軸方向に平行となる。
【０１８４】
従って、観察者ａは、部分画像αが視認不可能となり、部分画像βが視認可能となる。また、観察者ｂは、部分画像βが視認不可能となり、部分画像αが視認可能となる。
【０１８５】
このように、単一の表示領域である１つのスクリーン２０上に表示されている情報のうち、領域ごとに視認可能な観察方位を変更することができる。つまり複数の領域それぞれに表示される情報を、スクリーン２０を中心に異なる観察方位に存在する複数の観察者のそれぞれに対して提示するか否かを制御することができる。
【０１８６】
なお、図１５および図１６に示す情報表示装置２の構成では、２つの偏光板１１を用いて２つの部分画像についての視認性制御を行っている。しかし、３つ以上の偏光板１１を用い、３つ以上の部分画像についての視認性制御を行うこともできる。
【０１８７】
図１７は、１つのプロジェクタ１２の前方に９枚の偏光板１１を設置した場合の情報表示装置２の構成概要を示す図である。なお、図１２および図１５と同様に、鏡３０等の他の構成部の図示は省略する。
【０１８８】
各偏光板１１は、それぞれの回転駆動部１３により回転位置の変更が可能であり、それら回転位置は独立して制御可能である。
【０１８９】
図１７に示すように、１つのプロジェクタ１２の前方に９枚の偏光板１１を設置した場合、プロジェクタ１２から投射される１つの画像に含まれる９つの部分画像それぞれについて視認可能な観察方位を制御することができる。
【０１９０】
以上説明したように、複数の偏光板１１を、プロジェクタ１２とスクリーン２０との間に設けることにより、例えば、プロジェクタ１２から投射される画像に情報Ａ〜Ｃの複数の情報を持たせ、ある観察方位には情報Ａ、またある観察方位には情報ＢおよびＣといったように方位ごとに視認可能な情報を対応させることができる。
【０１９１】
さらに、例えば、拡張例１として説明した、観察者の観察方位を追尾する構成を備えた場合、全観察者の観察方位を追尾し、その観察方位に応じて、各情報についての視認可能な観察方位を変更していくことができる。
【０１９２】
つまり、各観察者が情報表示装置２の周りを移動した場合であっても、各観察者に対して、特定の情報を提示し続けること、または、特定の情報を隠蔽し続けることができる。
【０１９３】
また、例えば、拡張例２として説明した、直線偏光にされたノイズ画像をスクリーン２０に投射する構成を備えた場合、偏光メガネ４を装着していない観察者から表示情報を隠すことも可能である。
【０１９４】
このように、情報表示装置２は、１つの画像に含まれる複数の部分画像ごとに、視認可能な観察方位を制御することができる。
【０１９５】
なお、上記の拡張例１〜３を含む、本実施の形態の情報表示装置２において、偏光メガネ４は、情報表示装置２の一部を構成するともいうことができる。例えば、偏光メガネ４の偏光板に相当する偏光板を、情報表示装置２の周縁部を囲むように情報表示装置２に取り付けてもよい。
【０１９６】
つまり、観察者の視点の前方にある偏光板は、観察者の視点位置とスクリーン２０との間に設けられていればよく、その偏光板が情報表示装置２と物理的に一体であるか否かはいずれであってもよい。
【０１９７】
また、ＰＣ３が行う、偏光板１１の回転位置を制御する機能等の、情報表示装置２の動作に関与する機能を情報表示装置２が有していてもよい。つまり、ディスプレイシステム１全体として有する機能の全てを、情報表示装置２が有していてもよい。
【０１９８】
また、情報表示装置２のスクリーン２０は水平であるとしたが、スクリーン２０は水平でなくてもよい。つまり、図１等におけるＸＹ平面が水平でなくてもよく、複数の観察者が、スクリーン２０の中央に向かって、ＸＹ平面上の異なる観察方位からスクリーン２０上の情報を観察することができればよい。
【０１９９】
また、スクリーン２０上に表示された画像における偏光方向が、観察方位と直交している場合であっても、その画像の輝度が高い等の理由により、観察者からその画像が視認可能となることも考えられる。
【０２００】
また、ある観察者に対して情報の提示を意図していないにも関わらず、スクリーン２０上に表示された画像における偏光方向が、その観察者からの観察方位と直交していないために、その観察者がその情報を視認可能な状態となる場合も考えられる。
【０２０１】
しかし、このような場合であっても、スクリーン２０上に表示された画像の観察上の輝度が最も高いのは、その画像における偏光方向と平行な観察方位である観察者である。
【０２０２】
つまり、ある情報をある観察者に認識させたい場合、その観察者に対して、最も輝度が高い状態でその情報を表示することができる。
【０２０３】
これは、観察者からすると、自身が認識すべき情報が最も見易い状態で表示されることを意味する。これにより、例えば、観察者が複数種の情報を視認できる場合であっても、自身が認識すべき情報と、認識不要の情報とを識別することができる。
【０２０４】
従って、情報表示装置２が、単一の表示領域を用い、複数の観察者それぞれに認識させる情報を容易に制御することができることに変わりはない。
【０２０５】
また、情報表示装置２においてプロジェクタ１２とスクリーン２０との間に設置された偏光板１１を回転させ、観察者は、偏光方向の固定された偏光メガネ４を介してスクリーン２０上に表示された画像を観察するとした。
【０２０６】
ここで、観察者がスクリーン２０上に表示された画像を視認できるか否かは、偏光板１１による偏光方向と、偏光メガネ４による偏光方向との相対的な関係で決せられる。そのため、例えば、偏光板１１の回転位置を固定し、偏光メガネ４が有する偏光板を回転させてもよい。
【０２０７】
この場合、例えば、偏光メガネ４のフレームに、偏光板の周縁部との摩擦力により偏光板を回転駆動させる回転駆動部を取り付け、ＰＣ３からの有線または無線による制御信号により、偏光メガネ４による偏光方向を制御すればよい。
【０２０８】
また、情報表示装置２において偏光板１１を回転させるとともに、偏光メガネ４による偏光方向を回転させてもよい。
【０２０９】
例えば、スクリーン２０上に表示された画像における偏光方向および、観察者ａおよび観察者ｂの観察方位が図８に示す状態にある場合を想定する。
【０２１０】
この状態から、観察者ｂが画像を視認できる状態にする場合、図９に示すように、偏光板１１を９０°回転させ、スクリーン２０上に表示された画像における偏光方向をＸ軸方向に平行にする必要がある。
【０２１１】
しかし、この場合は、観察者ａからは画像が視認不可能となる。そこで、この画像を観察者ａおよび観察者ｂの双方に同時に視認させる場合、図８に示す状態から偏光板１１を９０°回転させるのではなく、観察者ｂが装着している偏光メガネ４の偏光板を９０°回転させることが考えられる。
【０２１２】
これにより、観察者ｂが装着している偏光メガネ４の偏光板は、偏光方向がＹ軸方向に平行な方向になり、スクリーン２０上に表示された画像を視認することができる。また、その画像における偏光方向は変化していないため、観察者ａは、引き続きその画像を視認することができる。
【０２１３】
また、同様の原理で、図８に示す状態から、観察者ａの偏光メガネ４の偏光板を、偏光方向がＸ軸方向に平行な方向になるように回転させた場合、観察者ａおよび観察者ｂの双方に対し、画像を視認不可能とすることができる。
【０２１４】
また、偏光メガネ４のように観察者が装着する形態に限らず、観察者とスクリーン２０との間に、偏光板と、その偏光板を回転させる回転駆動手段とを備える装置を設けた場合、上記の偏光メガネ４と同様に、観察者に対する画像の視認可能化および視認不可能化を行うことができる。
【０２１５】
なお、上記の回転駆動手段を有する偏光メガネ４および偏光板と回転駆動手段とを備える装置のそれぞれは、本発明の偏光装置の一例であり、ともに、直線偏光によって提示される情報の視認可能化および視認不可能を容易に制御することができる。
【０２１６】
このように、偏光メガネ４における偏光方向をも制御することにより、情報表示装置２は、１つの画像を１人の観察者に排他的に視認可能とするだけでなく、その状態から、複数の観察者に対して同時に視認可能とすることや視認不可能とすることもできる。
【０２１７】
また、情報表示装置２は、情報を表示するための主な構成として、図５等に示すようにスクリーン２０とプロジェクタ１２とを備えている。しかしながら、スクリーン２０とプロジェクタ１２とに換えて、液晶ディスプレイまたはプラズマディスプレイパネル（ＰＤＰ）等の表示装置を備えてもよい。
【０２１８】
図１８は、ＰＤＰと複数の偏光板とを備える情報表示装置の基本構成を示す図である。
図１８に示すように、ＰＤＰ２１の上面に９つの偏光板１１が備えられており、各偏光板１１は、それぞれ回転駆動部１３により回転される。また、それぞれの回転位置は独立して制御可能である。
【０２１９】
なお、ＰＤＰ２１は、本発明の情報表示装置における、自発光する機能を有するスクリーンの一例である。
【０２２０】
ＰＤＰ２１から投射される光は、各偏光板１１においてそれぞれの回転位置に応じた偏光方向の直線偏光となり、偏光メガネ等を介して観察者に観察される。
【０２２１】
従って、図１８に示す基本構成を有する情報表示装置は、図１７に示す情報表示装置２と同じく、ＰＤＰ２１に表示される１つの画像に含まれる９つの部分画像それぞれについて視認可能な観察方位を制御することができる。
【０２２２】
なお、ＰＤＰ２１に換えて液晶ディスプレイを備えた場合も同様に、複数の部分画像それぞれについて視認可能な観察方位を制御することができる。
【０２２３】
また、図１８では、偏光板１１を複数備える構成を示しているが、偏光板１１は１枚であってもよい。つまり、１枚以上の偏光板１１を備えていれば、情報の視認可能な観察方位を制御することができる。
【０２２４】
また、図１８に示す基本構成を有する情報表示装置であっても、偏光メガネ４の偏光板に相当する偏光板を、情報表示装置２の周縁部を囲むように情報表示装置２に取り付けてもよい。
【０２２５】
また、上述の拡張例１に示すような、観察方位を検知し、検知した観察方位に応じて偏光板１１の回転位置を制御するための構成を有してもよく、この場合であっても、図１０に示す構成の情報表示装置２と同じく、例えば、エンタテインメント要素のあるアプリケーションに利用することができる。
【産業上の利用可能性】
【０２２６】
本発明は、上記従来の課題を考慮し、単一の表示領域を用い、複数の観察者それぞれに提示する情報を制御することのできる情報表示装置および情報表示方法を提供することができる。
【０２２７】
従って、個々の参加者に提示すべき情報が異なる場合がある会議などにおける情報表示装置等として有用である。また、特定の参加者のみに答えを教える、または、特定の参加者から答えを隠すようなクイズゲームにおける情報表示装置等としても有用である。
【図面の簡単な説明】
【０２２８】
【図１】本実施の形態の情報表示装置における情報表示機能の基本原理を説明するための図である。
【図２】図１に示す構成における各視点位置での画像の見え方を示す模式図である。
【図３】本実施の形態の情報表示装置を含むディスプレイシステムの構成概要を示す図である。
【図４】プロジェクタボックスの構成概要を示す図である。
【図５】本実施の形態の情報表示装置の構成を示すブロック図である。
【図６】情報表示装置における、表示画像の偏光方向と観察方位ごとの輝度との関係を調べるための実験における計測機器等の配置を示す図である。
【図７】図６に示す実験の結果の例を示す図である。
【図８】２人の観察者のうちの１人にのみ表示情報を提示する場合の、情報表示装置の動作概要を説明するための図である。
【図９】図８に示す状態から、表示情報を提示する観察者を変更する場合の情報表示装置の動作概要を説明するための図である。
【図１０】偏光板の回転位置を特定の観察者の動きに追従させる場合のディスプレイシステムの構成概要を示す図である。
【図１１】スクリーン上に表示される画像における偏光方向を、特定の観察者の動きに追従して変化させる様子を示す図である。
【図１２】前方に偏光板を設置したプロジェクタと、偏光板を設置しないプロジェクタとを併用した場合の情報表示装置の構成概要を示す図である。
【図１３】図１２に示す情報表示装置の構成における観察方位と画像の見え方との関係を示す模式図である。
【図１４】図１２に示す構成を備える情報表示装置を用いて、特定の観察者のみに情報を提示する様子を示す図である。
【図１５】１つのプロジェクタの前方に２枚の偏光板を設置した場合の情報表示装置の構成概要を示す図である。
【図１６】図１５に示す構成を備える情報表示装置を用いて、１つの画像に含まれる２つの領域のそれぞれの視認可能な観察方位を変更する様子を示す図である。
【図１７】１つのプロジェクタの前方に９枚の偏光板を設置した場合の情報表示装置の構成概要を示す図である。
【図１８】ＰＤＰと複数の偏光板とを備える情報表示装置の基本構成を示す図である。
【符号の説明】
【０２２９】
１    ディスプレイシステム
２    情報表示装置
３    ＰＣ
４    偏光メガネ
５    発信機
６    アンテナ
１０    プロジェクタボックス
１１    偏光板
１２、１２ａ、１２ｂ    プロジェクタ
１３    回転駆動部
１３ａ  モータ
１３ｂ  モータ制御部
２０    スクリーン
２１    プラズマディスプレイパネル
３０    鏡
【図１】
2008064898.tif 000005
【図２】
2008064898.tif 000006
【図３】
2008064898.tif 000007
【図４】
2008064898.tif 000008
【図５】
2008064898.tif 000009
【図６】
2008064898.tif 000010
【図７】
2008064898.tif 000011
【図８】
2008064898.tif 000012
【図９】
2008064898.tif 000013
【図１０】
2008064898.tif 000014
【図１１】
2008064898.tif 000015
【図１２】
2008064898.tif 000016
【図１３】
2008064898.tif 000017
【図１４】
2008064898.tif 000018
【図１５】
2008064898.tif 000019
【図１６】
2008064898.tif 000020
【図１７】
2008064898.tif 000021
【図１８】
2008064898.tif 000022